【手続補正書】
【提出日】平成18年4月10日(2006.4.10)
【手続補正１】
【補正対象書類名】明細書
【補正対象項目名】全文
【補正方法】変更
【補正の内容】
【書類名】      明細書
【発明の名称】  光学レンズ取付システム
【特許請求の範囲】
【請求項１】
眼鏡フレームと一対のレンズを含む眼鏡レンズ取付機構であって、各々のレンズは、少なくとも一つの接合部を含み、その接合部は、それぞれ一つのレンズをフレームに接合する取付部材と組み合わされ、
それにより前記レンズは着脱可能にフレームに取り付けられることを特徴とする眼鏡レンズ取付機構。
【請求項２】
前記接合部は、レンズ内に設けられた凹部を含むことを特徴とする請求項１に記載の眼鏡レンズ取付機構。
【請求項３】
前記接合部は、レンズ上に設けられた凸部を含むことを特徴とする請求項１に記載の眼鏡レンズ取付機構。
【請求項４】
前記接合部は、レンズに接着された別個の部品を含むことを特徴とする請求項１に記載の眼鏡レンズ取付機構。
【請求項５】
前記接合部は、離れて配置された第１、第２凹部を含むことを特徴とする請求項１に記載の眼鏡レンズ取付機構。
【請求項６】
前記接合部は、離れて配置された第１、第２凸部を含むことを特徴とする請求項１に記載の眼鏡レンズ取付機構。
【請求項７】
前記接合部は、離れてレンズに接着された第１、第２部材を含婿とを特徴とする請求項１に記載の眼鏡レンズ取付機構。
【請求項８】
前記取付部材は、前記接合部に取り外し可能に取り付けられることを特徴とする請求項１に記載の眼鏡レンズ取付機構。
【請求項９】
前記取付部材は、接合部に組付けられる１組の弾性フィンガを含むことを特徴とする請求項１に記載の眼鏡レンズ取付機構。
【請求項１０】
前記取付部材は、前記接合部と接合するＣ字形の部分を含むことを特徴とする請求項１に記載の眼鏡レンズ取付機構。
【請求項１１】
前記レンズは、ねじを用いずに前記フレームに取り付けられることを特徴とする請求項１に記載の眼鏡レンズ取付機構。
【請求項１２】
前記レンズは、コードを用いずにフレームに取り付けられることを特徴とする請求項１に記載の眼鏡レンズ取付機構。
【請求項１３】
前記レンズは、リムを用いずにフレームに取り付けられることを特徴とする請求項１に記載の眼鏡レンズ取付機構。
【請求項１４】
前記取付部材は、前記接合部に対してスライドすることによって取り付けられることを特徴とする請求項１に記載の眼鏡レンズ取付機構。
【請求項１５】
前記取付部材は、圧入、又は、かしめ接合によって、前記接合部に取り付けられることを特徴とする請求項１に記載の眼鏡レンズ取付機構。
【請求項１６】
前記取付部材は、ステンレススティール、チタン、ベータチタン、或いは、形状記憶合金を含むグループから選択された弾性金属から成ることを特徴とする請求項１に記載の眼鏡レンズ取付機構。
【請求項１７】
前記接合部は、各レンズの対向する側面に配置された１対の凸部を有することを特徴とする請求項１に記載の眼鏡レンズ取付機構。
【請求項１８】
前記接合部は、各レンズの対向する側面に配置された１対の凹部を有することを特徴とする請求項１に記載の眼鏡レンズ取付機構。
【請求項１９】
前記取付部材は、前記接合部と組み合わさって接合する雄または雌の取付部材を含み、この機構によって、前記レンズを前記フレームに対して着脱可能に取り付けることを特徴とする請求項１に記載の眼鏡レンズ取付機構。
【発明の詳細な説明】
【０００１】
【発明の属する技術分野】
本発明は眼鏡フレームにレンズを取り付けるためのメカニズムに関する。
【０００２】
【従来の技術】
現在、レンズに使用されている主要な取付システムは、図１、図２に示すように、プラスチック製或いはメタル製の、標準的な、完全に周囲を取り囲むタイプの眼鏡フレーム１０である。リムはレンズ１２を囲み、適当な位置にそのレンズ１２をホールドする。典型的なものでは、レンズ１２自体の全周に亘って突出部１４が設けられ、そのレンズを適当な位置に支持することができる（図１，２）。このシステムは、何百年間もの間用いられてきており、基本的な従来技術を表す。
【０００３】
何年間も用いられている他のシステムとして、「３ピース」固定システムがある。この形式では眼鏡フレーム２０は、実際に３個の部分になっており、それぞれの部品は、レンズ２２にあけられた穴２６に伸びる「フィンガー」を有し、ねじ２４で係止されている（図３、４）。この技術もまた、いくつかの最も初期の眼鏡から、何百年もの間用いられている。レンズを貫くねじを用いた伝統的な３ピース眼鏡フレームに加えて、最近はエアチタンによるものもある。これは、折り曲げられた金属ロッドがレンズの穴に挿入され、オーバーサイズの折れ曲がったロッドによって生成されたオープニングテンションにより、ねじを用いずにレンズとフレームを固定することができる。しかしながら、このシステムは、リバーシブルではあるが、十分な構造的な完全性を提供せず、レンズ内への貫入を必要とする。
【０００４】
より新しい接続方式は「ハーフリム」である（図５、６）。この構造上の部材は、全周メタルリムと同様に用いられるが、フレーム３０の一部のみに対して利用される。レンズ３２の残りの部分はコード３４、或いは、通常はナイロン製のケーブルによってサポートされる。張力を加えられると、レンズ３２の溝３６にうまくはまり込み、レンズを適当な位置に保持する。この例はＥｓｓｉｌｏｒの「リムレス」フレームである。（１９７０年頃に特許公報が発行されている）。
【０００５】
さらに他のレンズシステム（接着剤やエポキシなどによりレンズにフレームを永久に固定するものを含む）も提案されてきている。これらのシステムは、取替が不可能であるために、有用な適用例を見つけることはできなかった。つまり、レンズとフレームの両方を完全に交換する必要があった。
【０００６】
より新しい接合方法が、米国特許Ｎｏ．４,８９４,４３８に記載されており（図７、８）、レンズ４２をつかむために形状記憶合金のフレーム４０を用いる技術が開示されている。そして、この技術は、リム、コード、スクリューを用いないリバーシブル、ポジティブ接合を提供する。
【０００７】
【課題を解決するための手段】
本発明は眼鏡レンズ接合機構を提供するものであって、眼鏡フレームと、１対のレンズと、を備え、それぞれのレンズは、少なくとも一つの接合部を含み、その接合部は、それぞれ一つのレンズをフレームに接合する取付部材と組み合わされる。この接合部は、レンズ内に設けられた凹部又は、レンズ上に設けられた凸部を含んでもよい。或いは、その接合部は、レンズに接着された別個の（discrete）部品を含んでも良い。単一の接合部を用いても良いが、第１及び第２接合部を各々のレンズに供給することが更に望ましい。例えば、各レンズが、離れて配置された第１、第２凹部、離れて配置された第１、第２凸部、或いは、離れてレンズに接着された第１、第２部材を含んでも良い。
【０００８】
取付部材は、その接合部に取り外し可能に取り付けられた、眼鏡フレームと別部材或いはその一部を含んでも良い。例えば、取付部材は接合部に組付けられ、１組のフィンガを含むことができる。他の取付部材の、接合部に取り付けられる部分は、Ｃ字形、Ｖ字形、三角形、または他の形状で構成されていても良い。本発明に係る機構では、レンズをフレームにねじも、コードもまたはリムも用いずに取り外し可能に取り付けることができる。
【０００９】
【発明の実施の形態】
本発明は、新規なレンズ取付機構を提供するものである。その機構は、レンズそのものにおいて、或いは、取付材を介して、ある部材を用いる。それは、レンズに対して特別に取り付けるための接合用ボンド（例えばエポキシ樹脂）等である。レンズは、様々な機械的なリバーシブルフレーム接続システムと組み合わせるために特別にデザインされている。このシステムには、例えば、上記’４３８特許に想定されたようなもの、及び、他の形状非記憶合金の実施形態が挙げられれる。これらの接続デザインは、雄−雌固定システムの、雄端部であることが望ましい。一つの実施形態（図９〜１１）においては、レンズ部材そのものを削ってゆき、レンズに不可欠な外側の取り付け部５０、例えば凹凸部分を残す。
【００１０】
雄或いは雌の取付部材５２は、直接、或いは、例えば垂直方向にスライドさせて、突出部に噛合する。ロッキングクリップを用いれば、一定以上スライディングが起こることを防ぐことができるであろう。他のモードでは、レンズの素材は、機械加工され、雄雌部分５４が、レンズ周端の一部をなす。これは、例えば、’４３８特許に定義された掴み動作（frabbing motion）や弾性掴み部５６を有する取付部材によって提供されるスナップ動作をもちいたような技術によって、アクセスされうる（図１２〜１４）。
【００１１】
さらに別の実施の形態では、別部材のレンズ接合部５８、例えば、メタルセラミック、プラスティック素材といった、レンズと同種、或いは異種の材料によって作られた部材を、レンズ自体に永久接着（エポキシ接着）してもよい。そして、フレーム側の取付部材は、直接、そのレンズ接合部に取り付けられる（図１５〜１７）。永久にレンズ接合部をレンズに取り付けることができる一方で、他の永久的な固定方法と異なり、レンズそのものを、取り外し、調整し、コーティングし、そして、洗浄することができる。
【００１２】
取付機構の雄雌部分は、また、丸い或いは角張ったパターンで形成されても良い。これにより、調整性、或いは、固定性のどちらかが高められる（図１８、１９）。また、それらは、図２０〜２２に示すように、開放型或いは閉鎖型の「二股（forked）」であってもよい。または、図２３のように、圧入、或いは、かしめ結合しても良い。図２０〜２１のアレンジでは、取付部材は、例えばステンレススティール、チタン、ベータチタン、形状記憶合金、或いは他の弾性部材から成っても良い。
【００１３】
すべての実施の形態では、レンズのねじとホール自体は必要ではなく、光学フレームに対し、リムレス、コードレス、スクリューレス取付システムを提供することができる。
【００１４】
上記は、本発明の原理、好適な実施の形態、及び動作のモードを示したものである。しかしながら、本発明は上記特定の実施の形態に制限されるものではないと理解されるべきである。従って、上記実施の形態はむしろ限定的に説明されたものであると見なされるべきである。そして、請求の範囲に記載されているような本発明の範囲から逸脱しない範囲で、当業者によってこれらの実施の形態の変形が行われることを、理解すべきである。
【図面の簡単な説明】
【図１】
レンズを眼鏡のフレームに組み込む従来技術を示す図である。
【図２】
レンズを眼鏡のフレームに組み込む従来技術を示す図である。
【図３】
レンズを眼鏡のフレームに組み込む従来技術を示す図である。
【図４】
レンズを眼鏡のフレームに組み込む従来技術を示す図である。
【図５】
レンズを眼鏡のフレームに組み込む従来技術を示す図である。
【図６】
レンズを眼鏡のフレームに組み込む従来技術を示す図である。
【図７】
レンズを眼鏡のフレームに組み込む従来技術を示す図である。
【図８】
レンズを眼鏡のフレームに組み込む従来技術を示す図である。
【図９】
本発明に係る結合部の様々な形状の一例を示す図である。
【図１０】
本発明に係る結合部の様々な形状の一例を示す図である。
【図１１】
本発明に係る結合部の様々な形状の一例を示す図である。
【図１２】
本発明に係る結合部の様々な形状の一例を示す図である。
【図１３】
本発明に係る結合部の様々な形状の一例を示す図である。
【図１４】
本発明に係る結合部の様々な形状の一例を示す図である。
【図１５】
本発明に係る結合部の様々な形状の一例を示す図である。
【図１６】
本発明に係る結合部の様々な形状の一例を示す図である。
【図１７】
本発明に係る結合部の様々な形状の一例を示す図である。
【図１８】
本発明に係る取付部材の様々な形状の一例を示す図である。
【図１９】
本発明に係る取付部材の様々な形状の一例を示す図である。
【図２０】
本発明に係る取付部材の様々な形状の一例を示す図である。
【図２１】
本発明に係る取付部材の様々な形状の一例を示す図である。
【図２２】
本発明に係る取付部材の様々な形状の一例を示す図である。
【図２３】
本発明に係る取付部材の様々な形状の一例を示す図である。
【手続補正２】
【補正対象書類名】図面
【補正対象項目名】全図
【補正方法】変更
【補正の内容】
【図１】
2002511602.tif 000001
【図２】
2002511602.tif 000002
【図３】
2002511602.tif 000003
【図４】
2002511602.tif 000004
【図５】
2002511602.tif 000005
【図６】
2002511602.tif 000006
【図７】
2002511602.tif 000007
【図８】
2002511602.tif 000008
【図９】
2002511602.tif 000009
【図１０】
2002511602.tif 000010
【図１１】
2002511602.tif 000011
【図１２】
2002511602.tif 000012
【図１３】
2002511602.tif 000013
【図１４】
2002511602.tif 000014
【図１５】
2002511602.tif 000015
【図１６】
2002511602.tif 000016
【図１７】
2002511602.tif 000017
【図１８】
2002511602.tif 000018
【図１９】
2002511602.tif 000019
【図２０】
2002511602.tif 000020
【図２１】
2002511602.tif 000021
【図２２】
2002511602.tif 000022
【図２３】
2002511602.tif 000023